(57)【要約】  本発明に係るデータ分析システムは、医薬に関する情報を含む訓練データと当該訓練データを複数の分類基準に基づいて分類する複数の分類情報との組み合わせを取得する訓練データ取得部と、前記訓練データの少なくとも一部を構成するデータ要素が前記分類情報に応じて出現する分布から前記医薬に関する情報のパターンを学習する学習部と、所定の情報源から未知データを取得する未知データ取得部と、前記学習されたパターンに基づいて前記取得された未知データを前記複数の分類基準ごとに評価するデータ評価部と、前記未知データに含まれる医薬に関する情報を前記データ評価部による評価に応じて前記ユーザに提示する提示部と、を備える。
2016147276.tif 000002
【特許請求の範囲】
【請求項１】
医薬に関する情報を含む訓練データと当該訓練データを複数の分類基準に基づいて分類する複数の分類情報との組み合わせを取得する訓練データ取得部と、  前記訓練データの少なくとも一部を構成するデータ要素が前記分類情報に応じて出現する分布から、前記医薬に関する情報のパターンを学習する学習部と、  所定の情報源から未知データを取得する未知データ取得部と、  前記学習されたパターンに基づいて、前記取得された未知データを前記複数の分類基準ごとに評価するデータ評価部と、  前記未知データに含まれる医薬に関する情報を、前記データ評価部による評価に応じて前記ユーザに提示する提示部と  を備えるデータ分析システム。
【請求項２】
前記未知データ取得部は、医療関係者を前記所定の情報源とし、当該医療関係者から報告される報告情報を前記未知データとして取得する  ことを特徴とする請求項１に記載のデータ分析システム。
【請求項３】
前記未知データ取得部は、前記医薬に関する情報を収集するデータベースを前記所定の情報源とし、当該データベースに含まれる情報を前記未知データとして取得する  ことを特徴とする請求項１に記載のデータ分析システム。
【請求項４】
前記学習部は、  前記訓練データから当該訓練データの少なくとも一部を構成するデータ要素を抽出する抽出部と、  前記抽出されたデータ要素各々の重み付け値を算出する算出部とを含み、  前記抽出されたデータ要素と前記算出された重み付け値とを対応付けることにより、前記医薬に関する情報のパターンを学習する  ことを特徴とする請求項１から３のいずれか一項に記載のデータ分析システム。
【請求項５】
前記抽出部は、前記データ要素として、感情表現に係る形態素を抽出し、  前記算出部は、前記感情表現に係る形態素の重み付け値を算出し、  前記データ評価部は、前記未知データに含まれる感情表現に係る形態素に基づいて前記複数の分類基準ごとに当該未知データを評価する  ことを特徴とする請求項１から４のいずれか一項に記載のデータ分析システム。
【請求項６】
前記データ分析システムは、さらに、所定の医薬に関する情報である関連情報を予め記憶する記憶部を備え、  前記提示部は、さらに、前記取得された未知データと関連すると推定される関連情報を、前記医薬に関する情報とともに提示する  ことを特徴とする請求項１から５のいずれか一項に記載のデータ分析システム。
【請求項７】
前記医薬に関する情報は、薬剤の効能又は副作用に関する情報である  ことを特徴とする請求項１から６のいずれか一項に記載のデータ分析システム。
【請求項８】
前記医薬に関する情報は、医薬に関する所定の観点についての医療関係者の意見に関する情報である  ことを特徴とする請求項１から６のいずれか一項に記載のデータ分析システム。
【請求項９】
医薬に関する情報を含む訓練データと当該訓練データを複数の分類基準に基づいて分類する複数の分類情報との組み合わせを取得する訓練データ取得ステップと、  前記訓練データの少なくとも一部を構成するデータ要素が前記分類情報に応じて出現する分布から、前記医薬に関する情報のパターンを学習する学習ステップと、  所定の情報源から未知データを取得する未知データ取得ステップと、  前記学習されたパターンに基づいて、前記取得された未知データを前記複数の分類基準ごとに評価するデータ評価ステップと、  前記未知データに含まれる医薬に関する情報を、前記データ評価ステップにおける評価に応じて前記ユーザに提示する提示ステップとを、コンピュータが実行するデータ分析方法。
【請求項１０】
コンピュータに、  医薬に関する情報を含む訓練データと当該訓練データを複数の分類基準に基づいて分類する複数の分類情報との組み合わせを取得する訓練データ取得機能と、  前記訓練データの少なくとも一部を構成するデータ要素が前記分類情報に応じて出現する分布から、前記医薬に関する情報のパターンを学習する学習機能と、  所定の情報源から未知データを取得する未知データ取得機能と、  前記学習されたパターンに基づいて、前記取得された未知データを前記複数の分類基準ごとに評価するデータ評価機能と、  前記未知データに含まれる医薬に関する情報を、前記データ評価機能による評価に応じて前記ユーザに提示する提示機能とを実現させるデータ分析プログラム。 
【発明の詳細な説明】
【技術分野】
【０００１】  本発明は、データを分析するデータ分析システム及びデータ分析方法並びにデータ分析プログラムに関する。
【背景技術】
【０００２】  現在、医療においては、様々な傷病や薬剤に関するデータが蓄積しており、また、日々の医療の進歩により、そのデータは増加の一途をたどっている。そのため、それらのデータの整理を行うことは必須の業務となっている。【０００３】  特許文献１及び２においては、ユーザが所望する医療情報を、タッチパネル等の直観的なユーザインターフェースを用いて、より直観的な操作で、より容易に取得可能にする医療情報表示装置等が開示されている。
【先行技術文献】
【特許文献】
【０００４】
【特許文献１】特開２０１２−０４８６０２号公報
【特許文献２】再表２０１２−０２９２６５号公報
【発明の概要】
【発明が解決しようとする課題】
【０００５】  しかしながら、特許文献１及び２に開示された装置は、所望の医療情報を適切に絞り込むためのものではあるが、そのための情報はユーザが入力する必要があるものの、それらの入力データは膨大な量になるため、仕分けをするだけでも膨大な労力を要する。例えば、薬剤でいえば、医薬品有害事象（以下、副作用という）に関する情報などは、報告が義務付けられているものの、それらの報告のうち、実際に副作用として認定すべきものか否かは医療に携わるものによる判断が必要になるものの、逐一各報告を見て、その報告に記載されている副作用を認定するという作業だけでも、大変な労力となる。【０００６】  そこで、本発明においては、上記問題に鑑みて、未知のデータを受け付けて、その未知のデータがどのような事案との関連性が高いかを提示するデータ分析システムを提供することを目的とする。
【課題を解決するための手段】
【０００７】  上記課題を解決するために、本発明の一実施態様に係るデータ分析システムは、医薬に関する情報を含む訓練データと当該訓練データを複数の分類基準に基づいて分類する複数の分類情報との組み合わせを取得する訓練データ取得部と、訓練データの少なくとも一部を構成するデータ要素が分類情報に応じて出現する分布から、医薬に関する情報のパターンを学習する学習部と、所定の情報源から未知データを取得する未知データ取得部と、学習されたパターンに基づいて、取得された未知データを複数の分類基準ごとに評価するデータ評価部と、未知データに含まれる医薬に関する情報を、データ評価部による評価に応じてユーザに提示する提示部とを備える。【０００８】  また、本発明の一実施態様に係るデータ分析方法は、コンピュータが実行するものであって、医薬に関する情報を含む訓練データと当該訓練データを複数の分類基準に基づいて分類する複数の分類情報との組み合わせを取得する訓練データ取得ステップと、訓練データの少なくとも一部を構成するデータ要素が分類情報に応じて出現する分布から、医薬に関する情報のパターンを学習する学習ステップと、所定の情報源から未知データを取得する未知データ取得ステップと、学習されたパターンに基づいて、取得された未知データを複数の分類基準ごとに評価するデータ評価ステップと、未知データに含まれる医薬に関する情報を、データ評価ステップにおける評価に応じてユーザに提示する提示ステップとを含む。【０００９】  また、本発明の一実施態様に係るデータ分析プログラムは、コンピュータに、医薬に関する情報を含む訓練データと当該訓練データを複数の分類基準に基づいて分類する複数の分類情報との組み合わせを取得する訓練データ取得機能と、訓練データの少なくとも一部を構成するデータ要素が分類情報に応じて出現する分布から、医薬に関する情報のパターンを学習する学習機能と、所定の情報源から未知データを取得する未知データ取得機能と、学習されたパターンに基づいて、取得された未知データを複数の分類基準ごとに評価するデータ評価機能と、未知データに含まれる医薬に関する情報を、データ評価機能による評価に応じてユーザに提示する提示機能とを実現させる。【００１０】  また、未知データ取得部は、医療関係者を所定の情報源とし、当該医療関係者から報告される報告情報を未知データとして取得することとしてもよい。  また、未知データ取得部は、医薬に関する情報を収集するデータベースを所定の情報源とし、データベースに含まれる情報を未知データとして取得することとしてもよい。【００１１】  また、学習部は、訓練データから当該訓練データの少なくとも一部を構成するデータ要素を抽出する抽出部と、抽出されたデータ要素各々の重み付け値を算出する算出部とを含み、抽出されたデータ要素と算出された重み付け値とを対応付けることにより、医薬に関する情報のパターンを学習することとしてもよい。【００１２】  また、抽出部は、データ要素として、感情表現に係る形態素を抽出し、算出部は、感情表現に係る形態素の重み付け値を算出し、データ評価部は、未知データに含まれる感情表現に係る形態素に基づいて複数の分類基準ごとに当該未知データを評価す���こととしてもよい。【００１３】  また、データ分析システムは、さらに、所定の医薬に関する情報である関連情報を予め記憶する記憶部を備え、提示部は、さらに、取得された未知データと関連すると推定される関連情報を、医薬に関する情報とともに提示することとしてもよい。【００１４】  また、医薬に関する情報は、薬剤の効能又は副作用に関する情報であることとしてもよい。  また、医薬に関する情報は、医薬に関する所定の観点についての医療関係者の意見に関する情報であることとしてもよい。
【発明の効果】
【００１５】  本発明の一態様に係るデータ分析システム及びデータ分析方法並びにデータ分析プログラムは、複数の異なる事案を対象とした学習データ毎に、未知のデータの評価を提示するので、ユーザは、その未知のデータの内容を見ずとも、ある程度どのような事案との関連性が高いかを認識することができる。
【図面の簡単な説明】
【００１６】
【図１】実施の形態に係るデータ分析システムの機能構成を示すブロック図である。
【図２】データ分析のための教師データの作成処理を示すフローチャートである。
【図３】未知データの入力を受け付けた場合の学習データ毎のスコア算出処理を示すフローチャートである。
【図４】結果情報の一例を示すデータ概念図である。
【図５】事案の具体例を示すイメージ図である。
【図６】事案の具体例を示すイメージ図である。
【図７】事案の具体例を示すイメージ図である。
【発明を実施するための形態】
【００１７】＜実施の形態＞  本発明に係るデータ分析システムの一実施態様について、図面を参照しながら説明する。
【００１８】＜概要＞  従来、薬剤については、新規の副作用らしきものを発見した場合には、医療関係者・監督官庁等に薬剤とその副作用について報告することを定める医薬品・医療機器等安全性情報報告制度という制度がある。当該制度を利用することにより、例えば、医薬品について新たな副作用を発見し、副作用として認定することがある。一般に市販される医薬品などは多くの実験や臨床試験を経て、副作用がないものとして販売されるものの、その検体数の関係などから発見されにくい副作用が潜在している可能性がある。そのような副作用が発見された場合に備えて、当該制度が存在する。この活動は、ファーマコビジランス（pharmacovigilance）と呼称され、医薬品の監視活動を意味する。
【００１９】  しかし、当該制度により医療関係者等から上げられる報告は多数に上るため、実際に副作用として認定すべきか否か、薬剤と副作用とは因果関係があるか、重篤な報告があるか否かの仕分けは、大変な労力となる。そのため、数多ある報告について、例えば副作用と関連性の高い可能性がある報告とそうでない報告との分別も困難を極めることから、この分別を支援するシステムの開発が切望されている。
【００２０】  一方、医療関係の情報を提供するものとして、医療に関わる様々な情報が集積される医療ポータルサイトがあることが知られているが、蓄積されている情報は多岐にわたり、その中から所望の情報を取得するのは医療関係者であっても困難が伴う。例えば、ある薬剤についての様々なユーザの使用感を集積したページがあったとして、そのコメントの中から必要な重要情報を拾っていくのはコメントが多数に上る場合に逐一コメントを見て確認していくのは煩雑な作業となり、時間がかかるという問題がある。従来においてもキーワードを用いた検索システムはあるものの、そのデータの中に当該キーワードが存在しない場合には必要なデータであっても検索にヒットしない場合もあることから、より柔軟かつ高精度に数多あるデータの中から所望のデータを分別してくれるシステムの開発もまた切望されている。
【００２１】  そこで、本実施の形態に係るデータ分析システムは、入力されたデータについて、複数ある事案のいずれの事案との関連性が高いか否かを分析する。そのために、データ分析システムは、まず、複数ある事案のうちの一つの事案に関連するデータと関連しないデータとからデータ要素を抽出し、そのデータ要素各々の重み付け値を算出し、各データ要素と対応する重み付け値を対応付けて、それを第１の学習データとして記憶する。これを事案毎に行い、事案の件数分の学習データを生成する。
【００２２】  次に、データ分析システムは、いずれの事案との関連性が高いのかの分析がなされていない未知データの入力を受け付ける。そして、データ分析システムは、未知データからデータ要素を抽出し、各学習データについて算出されているデータ要素の重み付け値に基づき、学習データ毎の未知データの評価値（スコア、当該未知データとスコアを算出するのに用いた学習データが示す事案との関連性を定量化した値）を算出する。
【００２３】  これによって、データ分析システムは、スコアの多寡に応じて、未知データがいずれの事案との関連性が高いかを判断するための指標を提示することができる。  したがって、データ分析システムは、複数の基準（訓練データ）に基づく指標を提示することができるので、例えば、薬剤の副作用報告の場合であれば、多数挙げられた報告の中から、実際に副作用として認定すべき可能性が高い報告を示唆できる。また、例えば、医療ポータルサイトの場合であれば、様々に寄せられたコメントの中から重篤な情報を示唆することができる。  以下、データ分析システムの詳細について説明する。
【００２４】＜構成＞  図１は、データ分析システム１００の機能構成を示すブロック図である。  図１に示すように、データ分析システム１００は、通信部１１０と、入力部１２０と、制御部１３０と、記憶部１４０と、表示部１５０とを含む。
【００２５】  通信部１１０は、ネットワークを介して他の機器にアクセスする機能を有する。また、通信部１１０は、ユーザ端末との通信が確立できる場合に、制御部１３０から伝達された未知データのスコアを、当該ユーザ端末に送信する機能も有する。
【００２６】  入力部１２０は、分類情報として、何を基準として分類するか否かについての情報の入力を受け付ける。すなわち、分類情報は、所定の事案（複数の事案のうちの一つの事案）に関連するか、又は、関連しないかを示す情報である。また、入力部１２０は、データが所定の事案に関連するか否かを示す情報をユーザから受け付けて制御部１３０に伝達する機能を有する。
【００２７】  制御部１３０は、記憶部１４０に記憶されている各種データを参照しながら、データ分析システム１００の各部を制御する機能を有するプロセッサである。制御部１３０は、データ分析システム１００が有する各種機能を統括的に制御する。
【００２８】  制御部１３０は、受付部１３１と、データ抽出部１３２と、分類情報受付部１３３と、データ分類部１３４と、要素抽出部１３５と、要素評価部１３６と、評価格納部１３７と、未知データ評価部１３８と、提示部１３９とを含む。
【００２９】  受付部１３１は、通信部１１０を介してネットワーク（例えば、インターネット、イントラネットなど）にアクセスし、当該ネットワーク上のデータを取得して、当該ウェブページ情報を記憶部１４０に記録する機能を有する。ここで、データ分析システム１００が取り扱うデータは、文書データ（例えば、薬剤に関する資料や、その薬剤の副作用を記載した資料、ウェブにおいて取り交わされた各種コメント、電子メール、プレゼンテーション資料、表計算資料、打ち合わせ資料、契約書、組織図、事業計画書など、少なくとも一部にテキストを含むデータを主に指すが、画像データ、音声データ、映像データなど、任意のデータを広く含む。なお、受付部１３１は、データ分析システム１００が備えるインターフェース（例えば、ＵＳＢポートなど）を介して、接続された記録媒体（例えば、ＵＳＢメモリ）からデータを受け付けることとしてもよい。
【００３０】  データ抽出部１３２は、記憶部１４０に記憶されているデータから必要に応じたデータを抽出する機能を有する。データ抽出部１３２は、データ要素の重み付け値を算出するために用いるデータをデータ分類部１３４に伝達する。また、データ抽出部１３２は、スコアが算出されていない未知データを記憶部１４０から抽出し、未知データ評価部１３８に伝達する。  分類情報受付部１３３は、所定の事案に対する分類情報を、入力部１２０から受け付ける。
【００３１】  ここで、例えば、所定の事案とは、「薬剤の副作用」であったり、「薬剤の効能評価」であったり、「ウェブページの特定の話題」であったりしてよく、様々な事案が該当し得る。また、分類情報は、例えば、「薬剤の副作用」の場合であれば、「副作用に関連する」、「副作用に関連しない」という分類情報を用いることが考えられ、「薬剤の効能評価」であれば、「とても良い」、「良い」、「普通」、「悪い」、「とても悪い」という分類情報を用いることが考えられ、「ウェブページの特定の話題」であれば、「話題に関連する」、「話題に関連しない」という分類情報を用いることが考えられる。分類の内容、及び、分類情報は、ユーザが定めることとする。また、上述の例に示したように分類情報は、２段階以上であれば、いくつあってもよい。
【００３２】  データ分類部１３４は、分類情報受付部１３３において受け付けられた分類情報のうち、データ抽出部１３２から伝達されたデータがいずれに該当するかを、入力部１２０からの入力に基づいて、決定する。データ分類部１３４は、データ抽出部１３２から伝達されたデータにいずれの分類に該当するかを示す分類情報を対応付けることで、データを分類する。データ分類部１３４は、分類情報を対応付けたデータを要素抽出部１３５に伝達する。データ分類部１３４は、例えば、データ抽出部１３２から伝達されたデータが、薬剤の副作用として発熱に関連するものである場合に、入力部１２０からの入力に従って、当該データに発熱の副作用に関連することを示す分類情報を付与する。ユーザにより指定された分類情報が対応付けられた（ラベリングされた）データを訓練データと呼称する。
【００３３】  要素抽出部１３５は、データ分類部１３４により分類情報が対応付けられたウェブページから、データ要素を抽出する機能を有する。ここで、要素抽出部１３５は、例えば、（１）データが文書データの場合、当該文書データに含まれるキーワード（いわゆる、形態素）、センテンス、段落などをデータ要素として抽出し、（２）データが音声データの場合、当該音声データに含まれる部分音声をデータ要素として抽出し、（３）データが画像データの場合、当該画像データに含まれる部分画像をデータ要素として抽出し、（４）データが映像データの場合、当該映像データに含まれるフレーム画像（又は、複数のフレーム画像の組み合わせ）をデータ要素として抽出することができる。
【００３４】  要素抽出部１３５が抽出するデータ要素は、所定の選定基準に従ってデータ分析システム１００により選定される。ここでデータ要素を選定する手法としては、一例として、分類情報で示される分類に該当する訓練データに頻出するデータ要素を用いるとよい。例えば、データ要素は、分類情報が所定の事案に「関連する」又は「関連しない」の２値で管理するとした場合に、所定の事案に関連する訓練データから抽出されたキーワードから、所定の事案に関連しない訓練データから抽出されたキーワードを除去した残りのキーワードをデータ要素として選定することとしてもよい。また、データ要素は、データ分析システム１００に対してユーザが入力部１２０を用いて指定することとしてもよい。
【００３５】  要素評価部１３６は、要素抽出部１３５が抽出した各データ要素を予め定められた所定の評価基準に従って評価する機能を有する。要素評価部１３６は、所定の評価基準として、データ要素について分類情報との依存関係を示す伝達情報量を用いて評価することとしてよい。例えば、要素抽出部１３５が、ウェブページに含まれる文書情報（テキスト）からデータ要素としてキーワードを抽出した場合に、当該キーワードの重み（weight）値を算出することによって当該キーワードを評価する。
【００３６】  要素評価部１３６は、要素抽出部１３５が抽出した各データ要素の重みを所定のアルゴリズムに従って算出する。ここでは、話を簡単にするために、分類情報は、所定の事案に「関連する」と「関連しない」の２値で処理を行うものとする。
【００３７】  要素評価部１３６は、算出したデータのスコアについて、ユーザが所定の事案に関連すると判断した訓練データのスコアが、ユーザが所定の事案に関連しないと判断した訓練データのスコアよりも上位に位置するようになるまで、各データ要素の評価値を繰り返し再評価し、その重みを算出しなおすことができる。具体的には、まず、要素評価部１３６は、一度算出した重みに基づいて、訓練データのスコアを算出する。要素評価部１３６は、スコアに従って、訓練データを並べる。このとき、データ分析システム１００による評価においては、所定の事案に関連する訓練データが上位に、所定の事案に関連しない訓練データが下位に並ぶようになっていることが望ましい。そこで、要素評価部１３６は、例えば、所定の事案に関連する訓練データのスコアが上位に並ぶように、そして、所定の事案に関連しない訓練データのスコアがその下位に並ぶようになるまで、当該算出を実行する。  要素評価部１３６は、データ要素の重み付け値ｗｇｔについて、例えば、以下の式（１）を用いて算出する。
【００３８】
【数１】
2016147276.tif 000003
【００３９】  ここで、ｗｇｔは、学習前のｉ番目の選定キーワードの重み付け値の初期値を示す。また、ｗｇｔは、Ｌ回目学習後のｉ番目の選定キーワードの重みを示す。γはＬ回目の学習における学習パラメータを意味し、θは学習効果の閾値を意味する。  要素評価部１３６は、算出した各データ要素に対応付けてそれぞれの重み付け値を評価格納部１３７に伝達する。  評価格納部１３７は、要素評価部１３６から伝達された各データ要素とその重み付け値を対応付けて記憶部１４０に格納する機能を有する。
【００４０】  未知データ評価部１３８は、データ抽出部１３２から伝達された未知データを、記憶部１４０に記憶されているデータ要素の重み付け値を用いて、所定の事案に関連するか否かを評価する機能を有する。
【００４１】  具体的には、未知データ評価部１３８は、データ抽出部１３２から伝達された未知データ（分類情報が対応付けられていない（ラベリングされていない）データ）に含まれるデータ要素を特定する。そして、当該データ要素の評価値を、記憶部１４０に格納されている各データ要素の重み付け値を参照して特定する。そして、未知データ評価部１３８は、未知データに含まれるデータ要素各々の重み付け値を統合して、予め定められた範囲内の値（例えば、０〜１００００の間）をとるように、スケーリングして当該未知データのスコアとして算出する。
【００４２】  より具体的には、例えば、未知データ評価部１３８は、未知データから抽出されたデータ要素についてのデータ要素ベクトルを生成する。データ要素ベクトルは、記憶部１４０に評価付けされているデータ要素が未知データに含まれるか否かに基づくベクトル（bag of words）である。
【００４３】  未知データ評価部１３８は、記憶部１４０に未知データに重み付け値が対応付けられているデータ要素が含まれている場合に、データ要素ベクトルの対応するベクトル値を「０」から「１」に変更する。そして、こうして未知データから抽出されたデータ要素に基づいて、その未知データについてのデータ要素ベクトルを生成する。未知データ評価部１３８は、生成したデータ要素ベクトルと、各データ要素の評価値（重み）との内積を計算することにより、未知データのスコアＳを算出する（下記式（２）参照）。
【００４４】
【数２】
2016147276.tif 000004
【００４５】  ここで、ｓはキーワードベクトルを表し、ｗは重みベクトルを表す。なお、Ｔは転置を意味する。なお、未知データ評価部１３８は、上記のように、未知データ毎に１つのスコアを算出することもできるし、未知データを所定の区切り（例えば、センテンス、段落、所定の長さで分割された部分音声、所定数のフレームを含む部分動画など）で分けた単位毎に１つのスコアを算出することもできる（詳細については後述する）。
【００４６】  提示部１３９は、未知データ評価部１３８により算出された未知データのスコアを提示する機能を有する。なお、提示部１３９は、未知データのスコアに関する情報をユーザに提示すると記載したが、これは一例であり、その他にも例えば、スコアの高いものから降順でウェブページを提示することとしてもよいし、所定のスコア以上の未知データを提示することとしてもよい。提示部１３９は、必要に応じて、未知データとそのスコアを含む提示情報を、通信部１１０又は表示部１５０に伝達する。例えば、提示部１３９は、通信部１１０がユーザの通信端末と通信可能に接続されている場合には、提示情報を通信部１１０に伝達し、それ以外の場合には表示部１５０に伝達する。
【００４７】  記憶部１４０は、データ分析システム１００が、データ分析のために用いるために必要とするプログラム及び各種データを記憶する機能を有する記録媒体である。記憶部１４０は、例えば、ＨＤＤ（Hard Disc Drive）、ＳＳＤ（Solid State Drive）、半導体メモリ、フラッシュメモリなどにより実現される。なお、図１では、データ分析システム１００が記憶部１４０を備える構成を示しているが、記憶部１４０は、データ分析システム１００外部のものであって、データ分析システム１００と通信可能に接続された記憶装置であってもよい。記憶部１４０は、データ要素の重み付け値を対応付けて記憶する。
【００４８】  表示部１５０は、制御部１３０から出力された表示データに基づく画像を表示する機能を有するモニターである。表示部１５０は、例えば、ＬＣＤ（Liquid Crystal Display）や、ＰＤＰ（Plasma Display Panel）、有機ＥＬ（Electro Luminescence）ディスプレイなどにより実現されてよい。本実施の形態においては、表示部１５０は、提示部１３９から伝達された学習データ毎の未知データのスコアを表示する。
【００４９】＜動作＞  図２は、データ分析システム１００の、訓練データを分析し、データ要素の評価を算出する際の動作を示すフローチャートである。
【００５０】  図２に示すように、データ分析システムのデータ抽出部１３２は訓練データをデータ分類部１３４に伝達する（ステップＳ２０１）。一方で、分類情報受付部１３３は、訓練データに対する分類の指定（例えば、所定の事案に関連する、関連しないなど）を受け付ける（ステップＳ２０２）。
【００５１】  データ分類部１３４は、入力部１２０からユーザの指定による分類情報を訓練データに対応付けることにより分類する（ステップＳ２０３）。例えば、データ分類部１３４は、訓練データが所定の事案に関連するとの指定を、入力部１２０を介して受け付けていた場合に、訓練データに対して所定の事案に関連するという分類情報を対応付ける。  要素抽出部１３５は、訓練データ（所定の事案に関するか否かの分類情報が対応付け（ラベリング）された情報であって、例えば、薬剤の効能情報、薬剤の副作用の症例報告書など）からデータ要素を抽出する（ステップＳ２０４）。
【００５２】  要素評価部１３６は、要素抽出部１３５が抽出したデータ要素各々を評価し、その重み付け値を算出する（ステップＳ２０５）。要素評価部１３６は、算出した重み付け値を要素評価部１３６に伝達する。
【００５３】  要素評価部１３６は、データ要素の重み付け値に、他のデータ要素に対して算出された重み付け値を加味した重み付け値を、上記式（２）を用いて、算出する（ステップＳ２０６）。要素評価部１３６は、算出した重み付け値と対応するデータ要素を評価格納部１３７に伝達する。
【００５４】  評価格納部１３７は、伝達された重み付け値と対応するデータ要素を示す情報とを対応付けてｉ（ｉは、０以上の整数であって、それまでに記憶されている学習データに対応付けられている番号以外の数字であり、学習データを識別する情報である。）番目の学習データとして記憶部１４０に格納する（ステップＳ２０７）。
【００５５】  データ分析システム１００は、各事案毎に、当該事案に関連するデータと関連しないデータとからデータ要素を抽出し、そのデータ要素の重み付け値を算出して、データ要素に対応付けた学習データを生成する。従って、データ分析システム１００は、必要な事案毎の学習データ、すなわち、複数の学習データを生成し、記憶することとなる。これにより、データ分析システム１００は、複数の事案との関連性を示す指標となるスコアを算出できるようになる。
【００５６】  図２に示す処理を実行することにより、データ分析システム１００は、未知データを評価するための前段階としてデータ要素の重み付け値を算出し、記憶することができる。
【００５７】  以上が、データ要素の各評価を決定するまでのデータ分析システム１００の動作である。図２に示す処理は、未知データを分類するために、ユーザが指定した分類がなされた（分類情報が対応付けられた）訓練データを取得し、当該訓練データに含まれるパターン（例えば、キーワード、概念的には、当該キーワードの分布、当該訓練データによって表される意味・概念など）を抽出する処理でもある。図２に示す処理により、未知データを所定の事案に関連するか否かを特定するための前処理が完了する。
【００５８】  図３は、データ分析システム１００の未知データのスコアを算出する際の動作を示すフローチャートである。  図３に示すように、データ分析システム１００の未知データ評価部１３８は、データ抽出部１３２から未知データを受け付ける（ステップＳ３０１）。  未知データ評価部１３８は、データ抽出部１３２から伝達された未知データからデータ要素を抽出する（ステップＳ３０２）。
【００５９】  未知データ評価部１３８は、学習データを特定するための変数ｉを０に初期化する（ステップＳ３０３）。  未知データ評価部１３８は、ｉ番目の学習データを記憶部１４０から読み出す（ステップＳ３０４）。
【００６０】  未知データ評価部１３８は、ｉ番目の学習データにおいて抽出したデータ要素に対応付けられている重み付け値を特定し、当該重み付け値を記憶部１４０から取得する（ステップＳ３０５）。
【００６１】  そして、未知データ評価部１３８は、取得した各データ要素の評価に基づいて（例えば、前述した式（２）を用いて）、当該データ要素を抽出したウェブページのスコアを算出する（ステップＳ３０６）。
【００６２】  未知データ評価部１３８は、全学習データについてスコアを算出したか否かを、ｉが全学習データの個数よりも１少ない値であるか否かに基づいて判定する（ステップＳ３０７）。
【００６３】  全学習データについてのスコアを算出している場合には（ステップＳ３０７のＹＥＳ）、未知データ評価部１３８は、算出した各学習データのスコアを、各学習データが示す事案の情報に対応付けて提示部１３９に伝達する。そして、提示部１３９は、伝達された事案の情報とスコアとを対応付けた結果情報をユーザに提示する（ステップＳ３０８）。結果情報は、提示部１３９から通信部１１０又は表示部１５０に伝達され、ユーザに提示される。
【００６４】  一方、全学習データについてのスコアを算出していない場合には（ステップＳ３０７のＮＯ）、未知データ評価部１３８は、ｉに１加算し（ステップＳ３０９）、ステップＳ３０４に戻る。  提示部１３９が提示する結果情報の一例を図４に示す。
【００６５】  図４は、結果情報４００の一例を示すテーブルである。図４に示すように結果情報４００は、未知データ識別情報４０１と、事案識別情報４０２と、スコア４０３とを含むテーブルである。
【００６６】  未知データ識別情報４０１は、データ分析システム１００に入力された未知データであって、分析対象のデータがどのデータであるかを識別するための情報である。  事案識別情報４０２は、スコアがどの事案に対応するかを識別するための情報である。  スコア４０３は、対応する事案のデータ分析システム１００による分析により算出されたスコアを示す情報である。
【００６７】  当該結果情報４００を提示することによりユーザは未知データがどの事案との関連性が高いのかを認識することができる。例えば、図４の例で言えば、未知データ「＃１２２０１」は、「事案Ｃ」との関連性がある可能性が高いことが、そのスコアが他の事案のスコアよりも高いことから理解することができる。なお、図４では、結果情報４００の一例として表を提示することとしているが、これは、当該表に基づいて生成されるグラフなどであってもよい。
【００６８】  図３に示す処理を実行することにより、データ分析システム１００は、入力された未知データについて、各事案との関連性の高低を示す指標を提示することができる。
【００６９】  図３に示す処理は、未知のデータを、所定の事案に関連するか否かを評価するためのスコアを算出する処理であると言える。言い換えれば、訓練データから抽出されたパターンが、未知データに含まれるか否かを分析することによって、当該未知データと所定の事案（例えば、薬剤に関連するか、薬剤の副作用に関連するか、ある観点に合致しているかなど）との関連性を評価する処理でもあると言える。
【００７０】＜データ例＞  以下に、訓練データと未知データとについての具体例を説明する。
【００７１】  （例１）  図５を用いて、訓練データと未知データについての一具体例を説明する。  図５は、未知のデータとして、薬剤の副作用に関連するか否かを分類したい場合の訓練データ又は未知データの一具体例を示す図である。図５は、副作用情報５００の一例を示すものであり、例えば、薬剤情報５０１と、効能情報５０２と、症例情報５０３とを含む。
【００７２】  薬剤情報５０１は、薬剤に関する基本情報を示す情報である。ここで基本情報は、例えば、薬剤の名称、主成分、許認可情報、製造元などの情報を含んでよい。  効能情報５０２は、薬剤がどのような傷病に対して効果があるのかを示す情報である。  症例情報５０３は、薬剤情報５０１で示される薬剤Ａについて副作用に関する症例情報であり、医者の見解や患者の感想などの情報を含む。
【００７３】  データ分析システム１００は、症例情報５０３として何点かの薬剤Ａの副作用と関連する副作用情報５００と、薬剤Ａの副作用と関連しない副作用情報５００とを、訓練データとして何点かの入力を受け付け、これらからデータ要素を抽出して重み付け値を算出し、薬剤Ａの副作用に関する学習データとして記憶する。
【００７４】  また、データ分析システム１００は、新たな症例情報を受け付けた場合には、症例情報５０３に記載の内容に対して分析を行い、いずれの副作用との関連性が高いかを示すスコアを各学習データ毎に算出し、提示する。
【００７５】  例えば、症例情報の中に「倦怠感」という単語が登場する場合には、「倦怠感」という語がデータ要素として抽出され、重み付け値が対応付けられる可能性があり、その重み付け値が学習データとして記憶される。そして、新たな未知データを受け付けた場合に、当該未知データからデータ要素を抽出し、その中に「倦怠感」がある場合には、当該薬剤の副作用を示す情報である可能性が高い情報として高いスコアが提示されることになる。これによって、薬剤の副作用に関すると思しき未知データが入力された場合に、多数の副作用毎の学習データそれぞれについてのスコアが提示され、関連性が高いと推定される副作用の学習データに基づくスコアは高い値になることから、関連性の高い副作用がわかるとともに、今までに認定（発見）されていなかった副作用についても、そのスコアが高ければ新たな副作用として発見し得る。また、これらのスコアが低ければ、未知データが副作用との関連性は低いものとして分類することもできるので、不要な報告を閲覧するための時間を短縮することもできる。したがって、データ分析システム１００は、未知データが副作用に関連する可能性が高いか低いかで分類したり、どのような副作用と関連性が高そうかなどの分類をしたりすることができるので、多数の薬剤の副作用に関する報告が挙げられた場合の分類の支援を行うことができる。
【００７６】  また、未知データが薬剤の副作用に関するものか否かの分類をするにあたっての分類は、上述の特定の副作用毎の分類以外の手法を用いてもよい。  例えば、「副作用と関連する」「副作用と関連しない」という分類で第１の学習データを作成し、「重篤である（医療関係者から見てデータの重要性が高い）」「重篤でない」という分類で第２の学習データを作成し、「特定の薬剤に関連する」「特定の薬剤に関連しない」という分類で第３の学習データを作成するなどして、複数の基準の分類で学習データを作成し、それぞれの学習データに基づいて未知データのスコアを算出することとしてもよい。この場合には、全ての学習データに基づくスコアが高い（一定の閾値以上）報告を、特定の薬剤の副作用に関連する可能性が高い報告として分類することができる。なお、ここでは、薬剤の副作用としているが、これは薬剤に限るものではなく、例えば、医療機器の弊害などであってもよい。
【００７７】  （例２）  図６を用いて、訓練データと未知データについての別の一具体例を説明する。  図６は、ウェブ上で、質問者が質問した観点についての、多種多様なユーザの意見が述べられた、所謂、ネット掲示板のようなウェブページの一例を示す図である。ここでの観点は、例えば、薬剤の効果、所望の薬剤を作成するにあたって必要と思われる薬品、特定の傷病の治療にあたっての効果的手法、など医薬に関するものである。
【００７８】  掲示板６００は、様々なユーザのコメント６０１〜６０５を含む。これらのコメントについて、本当に話題と関連するか否かの仕分けもまた煩雑な作業となり得るが、データ分析システム１００を用いれば、各コメントについて話題との関連性があるか否かを判断するための指標（スコア）を提示することができる。コメント６０１〜６０５は、話題と関連するコメントもあれば、関連しないコメントもある。  掲示板６００のような情報の場合には、データ分析システム１００は、各コメントが話題と関連するか否かを分類する。
【００７９】  データ分析システム１００は、ユーザの各コメントについて話題「○○」と関係するコメントと関係しないコメントとを何点か指定する。そして、指定したコメントを訓練データとして、データ要素を抽出し、それぞれ話題「○○」と関連するか否かを示す分類情報に従って、重み付け値を算出し、記憶部１４０に記憶する。これにより話題「○○」に関する学習データが生成される。  また、その他の話題についても同様にして学習データを生成する。
【００８０】  そして、学習データを生成した後に、データ分析システム１００は、分類していない各コメントについて話題と関連するか否かを判定するための指標（スコア）を算出し、提示する。
【００８１】  図６に示すような、データを用いることで、例えば、新たな薬品開発や、薬剤の改良などのためのマーケティングなどに利用することができる。掲示板６００において、話題と関連するコメントを特定（スコアの高いコメントを特定）することで、全てのコメントを読まずとも、必要なコメントを抽出できる。
【００８２】  また、データ分析システム１００は、定められた話題とは関係のない話題であって、他の学習データの話題と関係する場合には、その学習データとの関連性も高いスコアとなって提示することができる。すなわち、データ分析システム１００は、ある定められた話題を議論するスレッドの中のコメントでありながら、他の話題との関連性も評価することができる。本例の場合、データ分析システム１００は、特にポータルサイト運営システムとしての活用が見込める。
【００８３】  したがって、例えば、ある医者が、「花粉症の対処」について様々な意見を知りたい場合に、「花粉症に関連する」、「花粉症に関連しない」という分類に基づく学習データと、「対処に関連する」「対処に関連しない」という分類に基づく学習データなどの複数の学習データがあれば、多数ある花粉症の話題の中から、本当に「花粉症の対処」について述べている可能性が高いコメントをピックアップ（分類、選別）することができる。
【００８４】  （例３）  図７を用いて、訓練データと未知データについての更なる一具体例を説明する。  図７は、薬剤について、その薬剤を利用したユーザの使用感などを示すウェブページの一例を示す図である。
【００８５】  図７に示すようにウェブページ７００は、薬品情報７０１と、薬品情報７０１で示される薬品を使用した患者の使用感などを示すコメント７０２〜７０４を含む。
【００８６】  薬品情報７０１は、薬剤に関する基本情報を示す情報である。ここで基本情報は、例えば、薬剤の名称、主成分、許認可情報、製造元、処方の仕方などの注意事項の情報を含んでよい。
【００８７】  コメント７０２〜７０４は、薬品情報７０１を使用した患者の使用感などや、当該薬品に対する意見などの情報を含む。なお、コメントには、薬品情報７０１とは全く関係のないコメントが含まれることもある。
【００８８】  このようなウェブページ７００を扱う場合にも、上記（例２）と同様に、コメントについて、薬品情報７０１で示される薬品との関連性があるコメントと関連性のないコメントとを何点か指定し、それらのコメントからデータ要素を抽出する。そして、データ分析システム１００は、抽出したデータ要素に重み付け値を算出し、薬品Ａに関する学習データとして記憶部１４０に記憶する。  また、データ分析システム１００は、その他の薬品についても同様に学習データを生成し、記憶部１４０に記憶する。
【００８９】  そして、データ分析システム１００は、各薬品の各コメントについて、それぞれの薬品との関連性を評価するための指標（スコア）を提示する。これにより、データ分析システム１００は、ユーザが薬品Ａに対する感想を記載したつもりでも、実際には薬品Ｂに対するコメントとして記載した場合に、当該コメントが薬品Ａに対するものである可能性を示唆することができる。
【００９０】  例えば、「薬品Ａに関する」「薬品Ａに関しない」という分類で作成された学習データと、「効能に関する」「効能に関しない」という分類で作成された学習データとがあれば、複数あるコメントの中から両方のスコアが高い未知データを、薬品Ａの効能に関連する可能性の高いデータとして分別することができるし、そこにさらに、「２０歳代のユーザに関する」「２０歳代のユーザに関しない」という分類で作成された学習データがあれば、「２０歳代のユーザに対する薬品Ａの効能」に関連する可能性の高い未知データ（コメント）を分類、選択することもできる。
【００９１】＜まとめ＞  上述の処理により、未知データを評価するにあたっては、医薬に関する複数ある学習データについての関連性を評価したスコアを提示することになるので、入力された未知データがどのような医薬の知見との関連性が高いかを判断し易くなる。特に上述の具体例で示したような薬剤の効能、薬剤の副作用、観点などについては、様々な種類があることから、１つの学習データからでは１つの事案との関連性だけしか評価できず評価としては心もとない一面があったところ、データ分析システム１００は、様々な事案との関連性を評価したスコアを提示することにより、未知データの多角的分析精度の向上が見込める。
【００９２】＜変形例＞  上記実施の形態に係る発明の一実施態様を説明したが、本発明に係る思想がこれに限られないことは言うまでもない。以下、本発明に係る思想として含まれる各種変形例について説明する。
【００９３】  （１）上記実施の形態においては、未知データ評価部１３８は、データ要素ベクトルと各データ要素の重みの内積をとることで、未知データのスコアを算出することとしたが、当該算出方法は一例に過ぎない。未知データ評価部１３８は、その他の算出方法を用いて未知データのスコアを算出することとしてもよい。例えば、未知データ評価部１３８は、上記式（２）に換えて、以下の式（３）を用いて、未知データのスコアＳを算出してもよい。
【００９４】
【数３】
2016147276.tif 000005
【００９５】  ここで、ｍjは、ｊ番目のキーワードの出現頻度を表し、ｗiは、ｉ番目のキーワードの重みを表す。
【００９６】  （２）上記実施の形態においては、データ要素間の共起に基づく重み付け値を算出することとしているが、未知データを評価する段階において、更に、共起に基づくスコア算出を行ってもよい。その手法の詳細をここに説明する。
【００９７】  例えば、評価対象の未知データにおいて、データ要素として、第１キーワードと第２キーワードとが出現するとする。このとき、未知データ評価部１３８は、第１キーワードが未知データに出現する際に、当該未知データにおいて、第２キーワードが出現する頻度（第１キーワードと第２キーワードとの間の相関。共起ともいう）を考慮したスコアリングを実行してもよい。
【００９８】  この場合、未知データ評価部１３８は、第１キーワードと第２キーワードとの相関（共起）を表す相関行列（共起行列）Ｃを用いて、上記式（２）に換えて、以下の式（４）にしたがってスコアを算出することとしてもよい。
【００９９】
【数４】
2016147276.tif 000006
【０１００】  なお、上記相関行列Ｃは、所定のテキストを所定数だけ含む学習用データを用いて、予め最適化されているものとする。例えば、あるテキストにおいて「価格」というキーワードが出現する場合、当該キーワードに対する他のキーワードの出現数を０〜１の間に正規化した値（最尤推定値ともいう）が、上記相関行列Ｃの要素に格納される。  式（４）を用いることにより、キーワード間の相関関係を考慮したスコアを算出できるため、より高い精度で未知データのスコアを算出することができる。
【０１０１】  なお、ここでは、スコアを算出する際に、共起関係を考慮することとしているが、事前の重み付け値を算出する際に、共起関係を考慮した上で重み付け値を算出することとしてもよい。すなわち、一度、各データ要素の重み付け値を算出した後に、データ要素の重み付け値に、他のデータ要素に対して算出された重み付け値を加味して（例えば、所定の係数をかけた重み付け値を加算する）データ要素の重み付け値を算出することとしてもよい。
【０１０２】  （３）上記実施の形態においては、詳細に説明していないが、未知データ評価部１３８は、未知データに含まれる部分データ（例えば、センテンス、段落、所定の長さで分割した部分音声、所定数のフレームを含む部分動画など）毎にスコアを算出し、そのスコアに基づいて未知データのスコアを算出することとしてもよい。その手法の詳細をここに説明する。
【０１０３】  未知データ評価部１３８は、部分データ毎に所定のデータ要素（例えば、キーワード）が含まれるか否かを示すベクトルを、当該部分データ毎に生成する。そして、未知データ評価部１３８は、下記式（５）にしたがって未知データのスコアリングを実行する。
【０１０４】
【数５】
2016147276.tif 000007
【０１０５】  ここで、ｓｉは、ｉ番目の部分データに対応するベクトルである。なお、式（５）においては、共起も考慮した数式（共起行列Ｃを用いている）であることに注意されたい。当該、共起行列は、含まなくともよい。  上記式（５）におけるＴＦｎｏｒｍは、以下の式（６）のように算出することができる。
【０１０６】
【数６】
2016147276.tif 000008
【０１０７】  ここで、上記式（６）において、ＴＦｉは、ｉ番目のデータ要素（キーワード）の出現頻度（Term Frequency）を表し、ｓｊｉは上記ｉ番目のキーワードベクトルのｊ番目の要素を表し、ｃｊｉは相関行列Ｃのｊ行ｉ列の要素を表す。
【０１０８】  上記式（５）、（６）を統合すると、未知データ評価部１３８は、以下の式（７）を計算することにより、部分データスコアベースで、ウェブページ毎にスコアを算出することができる。
【０１０９】
【数７】
2016147276.tif 000009
【０１１０】  上記式（７）において、ｗｉは、重みベクトルｗのｉ番目の要素である。  以上のように、データ分析システム１００は、データの一部に含まれる意味（例えば、センテンスの文意）を反映したスコアリングを実行できるので、より高い精度で未知データのスコアを提示することができる。
【０１１１】  （４）上記実施の形態においては、提示部１３９は算出したスコアを提示するのみであるが、その他に、所定の事案に関連する可能性の他のデータを提示することとしてもよい。
【０１１２】  例えば、データ分析システム１００は、生成した学習データに、関連する関連情報を対応付けて、記憶部１４０に記憶しておく。ここで関連情報は、例えば、上記例１の場合で言えば、すでに薬剤の副作用として認定されている副作用に関する情報などであってよい。そして、提示部１３９は、その関連する情報を、事案毎のスコアに対応付けて提示することとしてもよい。
【０１１３】  （５）上記実施の形態においては、特に記載していないが、要素評価部の評価対象として、未知データを作成したユーザ（例えば、ウェブページの記事を記載したユーザや症例情報を作成した医者など）の感情を対象としてもよい。具体的には、未知データ上でいわゆる感情を表す単語（形容詞、形容動詞）に重きをおいた評価を実行してもよい。  この場合には、キーワードとして、予め、形容詞や形容動詞を指定しておくとよい。  当該評価方法についての一具体例を説明する。
【０１１４】  まず、データ分析システム１００の要素評価部１３６は、訓練データに含まれるデータ要素（ユーザの感情表現を含むデータ要素、例えば、「楽しい」、「悲しい」などの形態素）に対する感情評価を対応付けて記憶する。例えば、訓練データに含まれるテキストについて、予め定められたキーワード（当該キーワードは、テキストの場合では、感情に関する文言）が当該テキストに含まれるか否かを探索する。含まれていた場合に、当該キーワードを所定の基準に従って算出した感情スコアを当該キーワードに対応付けて記憶部１４０に記憶しておく。
【０１１５】  そして、未知データ評価部１３８は、未知データから、予め定められた感情に係るキーワードを抽出する。そして、抽出したキーワードに対して、記憶部１４０において対応付けられている感情スコアを参照する。未知データ評価部１３８は、未知データから抽出されたキーワード各々の感情スコアを統合して、未知データの感情スコアとする。
【０１１６】  例えば、テキストに、「この薬品の効果は高かったのが喜ばしい。ただし、躁状態に近しい状態になるのが少々残念だ。」という文章が含まれていたとする。そして、キーワードとして、予め、「喜ばしい」「残念」が記憶部１４０に格納され、それぞれ、「＋１．４」、「＋０．１」という感情スコアが対応付けられているとする。この場合、未知データ評価部１３８は、当該テキストに対する感情スコアとしては、例えば、両者を加算して、「＋１．５」という感情スコアを算出する。  提示部１３９は、このようにして算出された感情スコアを、未知データのスコアとして提示してもよい。
【０１１７】  なお、データ分析システム１００は、上記構成を実現するために、キーワードに対する感情スコアを格納する感情格納部、未知データからデータ要素を抽出し、そのデータ要素として感情に係るキーワードを抽出する感情抽出部を備えてもよい。
【０１１８】  （６）上記実施の形態においては、文書情報（テキスト）を分析する例を説明したが、上述したように、音声や画像、映像に対する分析を行ってもよい。  例えば、音声の場合であれば、音声そのものを分析の対象としてもよいし、音声認識により音声を文書に変換したうえでの分析を実行してもよい。
【０１１９】  音声そのものを分析する場合には、音声を所定の長さの部分音声に分割して、部分音声を分析の対象とする。例えば、「この映画が面白い」という音声が得られた場合、データ分析システム１００は、「映画」及び「面白い」という部分音声を当該音声から抽出し、当該部分音声を評価した結果に基づいて、未知の音声と分類情報との関連性を評価することができる。このような場合、データ分析システム１００は、時系列データの分類アルゴリズム（例えば、マルコフモデル、カルマンフィルタなど）を利用して音声を分類できる。
【０１２０】  音声をテキストに変換する場合には、上記実施の形態に示した場合と同様に分類すればよい。音声のテキストへの変換には、任意の音声認識アルゴリズム（例えば、隠れマルコフモデルを用いた認識方法など）を用いればよい。
【０１２１】  あるいは、データ分析システム１００は、動画を分析することもできる。この場合にはデータ分析システム１００は、動画に含まれるフレーム画像を抽出し、任意のパターンマッチングにより、動画のフレーム内に、あらかじめ定められたデータ要素としての画像（事物や人物など）が含まれるか否かにより、動画を解析し、分類情報との関連性を評価することとしてもよい。
【０１２２】  （７）上記実施の形態に示したデータ分析システム１００は、医療応用システムで用いる例を説明したが、その他の様々なシステムに適用することができる。  例えば、ディスカバリー支援システム、フォレンジックシステム、メール監査システム、インターネット応用システム、知財調査システム、実績評価システム（プロジェクト評価システム）、ドライビング支援システム、取引管理システム、コールセンターエスカレーションシステム、マーケティングシステムなど、少なくとも一部において、構造定義が不完全なデータ（非構造化データ、例えば、自然言語を含む文書データ）を扱う任意のシステムに適用できる。
【０１２３】  例えば、メール監査システムを例に挙げて説明すると、不正に関するメールを特定したい場合に、予め、不正に関係するメールと不正に関係しないメールとを教師データとして、データ要素を抽出して、その重み付け値を算出する。当該重み付け値は、不正に関係するメールに多く出現したデータ要素ほど高い値になるとする。
【０１２４】  また、さらに、不正以外に、組織に対する不満に関するメールを特定したい場合に、予め、不満に関係するメールと不満に関係しないメールとを教師データとして、データ要素を抽出して、その重み付け値を算出する。当該重み付け値は、不満に関係するメールに多く出現したデータ要素ほど高い値になるとする。
【０１２５】  そして、未知のメールを入力として、未知データ評価部１３８は、記憶部１４０に記憶されている重み付け値を用いて、未知のメールのスコアを算出する。つまり、この場合、データ分析システムは、不正に関するメールかどうかと、不満に関するメールかどうかとを判断するためのスコアを提示する。
【０１２６】  また、ディスカバリー支援システムでは訴訟関連書類の分類、フォレンジックシステムでは捜査書類の分類、インターネット応用システムでは、ウェブページの分類、知財調査システムでは特許明細書の分類などに適用することができる。
【０１２７】  （８）上記実施の形態においては、提示部１３９は、未知データの学習データ毎のスコアを提示することとしたが、これはその限りではない。提示部１３９は、スコア以外の未知データを評価し得る情報であれば他の情報を知見情報として提示することとしてもよい。  例えば、複数の未知データが入力された場合に、その複数の未知データそれぞれについて、各学習データ毎のスコアを算出し、全ての学習データについて一定の閾値以上となる未知データそのものを提示することとしてもよい。これにより、データ分析システムは、所定の事案と関連性が高い可能性がある未知データを提示することができる。
【０１２８】  （９）データ分析システム１００（情報処理装置）の各機能部は、集積回路（ＩＣチップ）等に形成された論理回路（ハードウェア）によって実現してもよい。データ分析システム１００の各機能部は、１又は複数の集積回路により実現されても良いし、複数の機能部が１の集積回路により実現されてもよい。
【０１２９】  あるいは、データ分析システム１００の各機能部により実現される機能は、ＣＰＵ（Central Processing Unit）を用いてソフトウェアによって実現してもよい。この場合、データ分析システム１００は、各機能を実現するソフトウェアであるデータ分析プログラムの命令を実行するＣＰＵ、上記ゲームプログラム及び各種データがコンピュータ（又はＣＰＵ）で読み取り可能に記録されたＲＯＭ（Read Only Memory）又は記憶装置（これらを「記録媒体」と称する）、上記データ分析プログラムを展開するＲＡＭ（Random Access Memory）などを備えている。そして、コンピュータ（又はＣＰＵ）が上記データ分析プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記データ分析プログラムは、当該ゲームプログラムを伝送可能な任意の伝送媒体（通信ネットワークや放送波等）を介して上記コンピュータに供給されてもよい。本発明は、上記データ分析プログラムが電子的な伝送によって具現化された、搬送波に埋め込まれたデータ信号の形態でも実現され得る。
【０１３０】  なお、上記データ分析プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。また、上記データ分析プログラムによって実現される各機能を実現する各部を備えた情報処理装置と、上記各機能とは異なる残りの機能を実現する各部を備えたサーバとを含む分散型のデータ分析システムも、本発明の範疇に入る。
【０１３１】  （１０）本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各機能部、各ステップ等に含まれる機能等は再配置可能であり、複数の手段やステップ等を１つに組み合わせたり、或いは分割したりすることが可能である。  （１１）上記実施の形態及び各種変形例に示す構成を適宜組み合わせることとしてもよい。
【０１３２】＜補足＞  ここに本発明に係るデータ分析システムの一実施態様とその効果について述べる。  （ａ）本発明に係るデータ分析システムは、医薬に関する情報を含む訓練データと当該訓練データを複数の分類基準に基づいて分類する複数の分類情報との組み合わせを取得する訓練データ取得部（１３２、１３３）と、前記訓練データの少なくとも一部を構成するデータ要素が前記分類情報に応じて出現する分布から、前記医薬に関する情報のパターンを学習する学習部（１３４〜１３７）と、所定の情報源から未知データを取得する未知データ取得部（１３１、１３２）と、前記学習されたパターンに基づいて、前記取得された未知データを前記複数の分類基準ごとに評価するデータ評価部（１３８）と、前記未知データに含まれる医薬に関する情報を、前記データ評価部による評価に応じて前記ユーザに提示する提示部（１３９）とを備える。
【０１３３】  また、本発明に係るデータ分析方法は、コンピュータが実行するものであって、医薬に関する情報を含む訓練データと当該訓練データを複数の分類基準に基づいて分類する複数の分類情報との組み合わせを取得する訓練データ取得ステップと、前記訓練データの少なくとも一部を構成するデータ要素が前記分類情報に応じて出現する分布から、前記医薬に関する情報のパターンを学習する学習ステップと、所定の情報源から未知データを取得する未知データ取得ステップと、前記学習されたパターンに基づいて、前記取得された未知データを前記複数の分類基準ごとに評価するデータ評価ステップと、前記未知データに含まれる医薬に関する情報を、前記データ評価ステップにおける評価に応じて前記ユーザに提示する提示ステップとを含む。
【０１３４】  また、本発明に係るデータ分析プログラムは、コンピュータに、医薬に関する情報を含む訓練データと当該訓練データを複数の分類基準に基づいて分類する複数の分類情報との組み合わせを取得する訓練データ取得機能と、前記訓練データの少なくとも一部を構成するデータ要素が前記分類情報に応じて出現する分布から、前記医薬に関する情報のパターンを学習する学習機能と、所定の情報源から未知データを取得する未知データ取得機能と、前記学習されたパターンに基づいて、前記取得された未知データを前記複数の分類基準ごとに評価するデータ評価機能と、前記未知データに含まれる医薬に関する情報を、前記データ評価機能による評価に応じて前記ユーザに提示する提示機能とを実現させる。
【０１３５】  これにより、未知データの、複数の学習データが各々対応する事案との関連性を評価することができるので、当該未知データについて多角的な評価をすることができる。
【０１３６】  （ｂ）上記（ａ）に係るデータ分析システムにおいて、前記未知データ取得部は、医療関係者を前記所定の情報源とし、当該医療関係者から報告される報告情報を前記未知データとして取得することとしてもよい。  これにより、データ分析システムは、医療関係者から報告される報告情報を複数の分類基準ごとに評価することができるので、当該報告情報の分類を支援することができる。
【０１３７】  （ｃ）上記（ａ）または（ｂ）に係るデータ分析システムにおいて、未知データ取得部は、前記医薬に関する情報を収集するデータベースを前記所定の情報源とし、当該データベースに含まれる情報を前記未知データとして取得することとしてもよい。  これにより、データ分析システムは、例えば、医療ポータルサイトにあげられている多くの情報を未知データとして分析することができるので、数多ある情報の中から所望の情報と関連する情報であるか否かを分類する支援を行うことができる。
【０１３８】  （ｄ）上記（ａ）から（ｃ）のいずれかに係るデータ分析システムは、前記学習部は、前記訓練データから当該訓練データの少なくとも一部を構成するデータ要素を抽出する抽出部（１３５）と、前記抽出されたデータ要素各々の重み付け値を算出する算出部（１３６）とを含み、前記抽出されたデータ要素と前記算出された重み付け値とを対応付ける（１３７）ことにより、前記医薬に関する情報のパターンを学習することとしてもよい。  これにより、データ分析システムは、データを構成するデータ要素に対する重み付け値を算出することで情報のパターンを学習することができる。
【０１３９】  （ｅ）上記（ａ）から（ｄ）のいずれかに係るデータ分析システムは、前記抽出部は、前記データ要素として、感情表現に係る形態素を抽出し、前記算出部は、前記感情表現に係る形態素の重み付け値を算出し、前記データ評価部は、前記未知データに含まれる感情表現に係る形態素に基づいて前記複数の分類基準ごとに当該未知データを評価することとしてもよい。  これにより、データ分析システムは、未知データに含まれる感情表現に基づく評価を実行することができる。とくに、薬剤の副作用や薬剤の使用感などには医療関係者やユーザの主観が混じることも考えられることから、感情表現に基づく評価は一定の信頼がおける評価となりやすいと考えられるため、データ分析システムは、未知データに対して、より高精度の評価ができる。
【０１４０】  （ｆ）上記（ａ）から（ｅ）のいずれかに係るデータ分析システムは、前記データ分析システムは、さらに、所定の医薬に関する情報である関連情報を予め記憶する記憶部を備え、前記提示部は、さらに、前記取得された未知データと関連すると推定される関連情報を、前記医薬に関する情報とともに提示することとしてもよい。  これにより、データ分析システムは、更なる情報を提示することができるので、これを見たユーザは、未知データが事案との関連をより客観的かつより正確に評価を判断することができるようになる。
【０１４１】  （ｇ）上記（ａ）から（ｆ）のいずれかに係るデータ分析システムは、前記医薬に関する情報は、薬剤の効能又は副作用に関する情報であることとしてもよい。  これにより、データ分析システムは、薬剤の効能又は副作用に関する情報の分析を支援することができる。
【０１４２】  （ｈ）上記（ａ）から（ｆ）のいずれかに係るデータ分析システムは、前記医薬に関する情報は、医薬に関する所定の観点についての医療関係者の意見に関する情報であることとしてもよい。  これにより、データ分析システムは、医薬に関する観点についての情報の分析を支援することができる。
【産業上の利用可能性】
【０１４３】  本発明は、パーソナルコンピュータ、サーバ装置、ワークステーション、メインフレームなど、任意のコンピュータに広く適用することができる。
【符号の説明】
【０１４４】１００  データ分析システム１１０  通信部１２０  入力部１３０  制御部１３１  受付部１３２  データ抽出部１３３  分類情報受付部１３４  データ分類部１３５  要素抽出部１３６  要素評価部１３７  評価格納部１３８  未知データ評価部１３９  提示部１４０  記憶部１５０  表示部 
【図１】
2016147276.tif 000010
【図２】
2016147276.tif 000011
【図３】
2016147276.tif 000012
【図４】
2016147276.tif 000013
【図５】
2016147276.tif 000014
【図６】
2016147276.tif 000015
【図７】
2016147276.tif 000016
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
医薬に関する情報を含む訓練データと当該訓練データを複数の分類基準に基づいて分類する複数の分類情報との組み合わせを取得する訓練データ取得部と、
前記訓練データの少なくとも一部を構成するデータ要素が前記分類情報に応じて出現する分布から、前記医薬に関する情報のパターンを学習する学習部と、
所定の情報源から複数の未知データを取得する未知データ取得部と、
前記学習されたパターンに基づいて、前記取得された複数の未知データを前記複数の分類基準ごとに評価し、この評価は当該複数の未知データ夫々にスコアを付けることを含むデータ評価部と、
前記複数の未知データ夫々に含まれる医薬に関する情報を、前記データ評価部による評価に応じて、前記ユーザに提示し、この提示は前記複数の未知データのランク付けを含む提示部と、
を備えるデータ分析システム。
【請求項２】
前記未知データ取得部は、医療関係者を前記所定の情報源とし、当該医療関係者から報告される報告情報を前記未知データとして取得する
請求項１に記載のデータ分析システム。
【請求項３】
前記未知データ取得部は、前記医薬に関する情報を収集するデータベースを前記所定の情報源とし、当該データベースに含まれる情報を前記未知データとして取得する
請求項１に記載のデータ分析システム。
【請求項４】
前記学習部は、
前記訓練データから当該訓練データの少なくとも一部を構成するデータ要素を抽出する抽出部と、
前記抽出されたデータ要素と前記算出された重み付け値を算出する算出部と、
を含み、
前記抽出されたデータ要素と前記算出された重み付け値とを対応付けることにより、前記医薬に関する情報のパターンを学習する
請求項１から３のいずれか一項に記載のデータ分析システム。
【請求項５】
前記抽出部は、前記データ要素として、感情表現に係る形態素を抽出し、
前記算出部は、前記感情表現に係る形態素の重み付け値を算出し、
前記データ評価部は、前記未知データに含まれる感情表現に係る形態素に基づいて前記複数の分類基準ごとに当該未知データを評価する
請求項１から４のいずれか一項に記載のデータ分析システム。
【請求項６】
前記データ分析システムは、さらに、所定の医薬に関する情報である関連情報を予め記憶する記憶部を備え、
前記提示部は、さらに、前記取得された未知データと関連すると推定される関連情報を、前記医薬に関する情報とともに提示する
請求項１から５のいずれか一項に記載のデータ分析システム。
【請求項７】
前記医薬に関する情報は、薬剤の効能又は副作用に関する情報である
請求項１から６のいずれか一項に記載のデータ分析システム。
【請求項８】
前記医薬に関する情報は、医薬に関する所定の観点についての医療関係者の意見に関する情報である
請求項１から６のいずれか一項に記載のデータ分析システム。
【請求項９】
医薬に関する情報を含む訓練データと当該訓練データを複数の分類基準に基づいて分類する複数の分類情報との組み合わせを取得する訓練データ取得ステップと、
前記訓練データの少なくとも一部を構成するデータ要素が前記分類情報に応じて出現する分布から、前記医薬に関する情報のパターンを学習する学習ステップと、
所定の情報源から複数の未知データを取得する未知データ取得ステップと、
前記学習されたパターンに基づいて、前記取得された複数の未知データを前記複数の分類基準ごとに評価し、この評価は当該複数の未知データ夫々にスコアを付けることを含むデータ評価ステップと、
前記複数の未知データ夫々に含まれる医薬に関する情報を、前記データ評価ステップによる評価に応じて、前記ユーザに提示し、この提示は前記複数の未知データのランク付けを含む提示ステップと、
をコンビュータが実行するデータ分析方法。
【請求項１０】
コンピュータに、
医薬に関する情報を含む訓練データと当該訓練データを複数の分類基準に基づいて分類する複数の分類情報との組み合わせを取得する訓練データ取得機能と、
前記訓練データの少なくとも一部を構成するデータ要素が前記分類情報に応じて出現する分布から、前記医薬に関する情報のパターンを学習する学習機能と、
所定の情報源から複数の未知データを取得する未知データ取得機能と、
前記学習されたパターンに基づいて、前記取得された複数の未知データを前記複数の分類基準ごとに評価し、この評価は当該複数の未知データ夫々にスコアを付けることを含むデータ評価機能と、
前記複数の未知データ夫々に含まれる医薬に関する情報を、前記データ評価機能による評価に応じて、前記ユーザに提示し、この提示は前記複数の未知データのランク付けを含む提示機能と、
を実現させるためのプログラム。
【請求項１１】
請求項１０記載のプログラムが記録された、コンピュータ読取可能な記録媒体。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
記憶装置と、
前記記憶装置に記録されたデータを分析するプロセッサと、
を備えるデータ分析システムであって、
前記プロセッサは、
前記記憶装置から複数の訓練データを取得し、
所定の事案に関連することを示す第１の分類情報と、前記所定の事案に関係しないことを示す第２の分類情報とを含む分類情報を、前記複数の訓練データの夫々に付与することによって、当該複数の訓練データの夫々を分類し、
前記複数の訓練データの夫々からデータ要素を抽出し、
前記複数の訓練データの夫々に対して付与された前記分類情報に基づいて、前記抽出されたデータ要素を評価し、
当該データ要素の評価に基づいて前記複数の訓練データの夫々を評価し、
当該複数の訓練データの夫々を評価する際、前記第１の分類情報が付与された訓練データの評価が前記第２の分類情報が付与された訓練データの評価より上位になるように、前記データ要素の評価を繰り返し、
前記記憶装置から複数の未知データを取得し、
前記繰り返しによって決定されたデータ要素の評価に基づいて、前記複数の未知データの夫々を評価し、当該評価は当該複数の未知データの夫々にスコアを付けることを含み、
前記評価された複数の未知データのうちの少なくとも一つに含まれる情報をユーザに提示する、
データ分析システム。
【請求項２】
前記プロセッサは、
医療関係者から報告される報告情報を、前記未知データとして前記記憶装置から取得する
請求項１に記載のデータ分析システム。
【請求項３】
前記記憶装置は、医薬に関する情報を収集するデータベースを含み、
前記プロセッサは、当該データベースに含まれる情報を前記未知データとして取得する
請求項１に記載のデータ分析システム。
【請求項４】
前記プロセッサは、
前記データ要素として、感情表現に係る形態素を抽出し、
前記感情表現に係る形態素の重み付け値を算出し、
前記未知データに含まれる感情表現に係る形態素に基づいて当該未知データを評価する
請求項１から３のいずれか一項に記載のデータ分析システム。
【請求項５】
前記記憶装置は、所定の医薬に関する情報である関連情報を備え、
前記プロセッサは、前記取得された未知データと関連すると推定される関連情報を、前記医薬に関する情報とともに提示する
請求項１から４のいずれか一項に記載のデータ分析システム。
【請求項６】
前記医薬に関する情報は、薬剤の効能又は副作用に関する情報である
請求項５に記載のデータ分析システム。
【請求項７】
前記所定の事案が複数の事案を含み、
前記分類情報は、夫々の事案ついて、前記第１の分類情報と第２の分類情報とを含み、
前記プロセッサは、
前記複数の未知データの夫々を前記複数の事案の夫々について評価する
請求項１から６の何れか一項記載のデータ分析システム。
【請求項８】
記憶装置に記憶されたデータ群をプロセッサが分析するデータ分析方法であって、
前記プロセッサは、
前記記憶装置から複数の訓練データを取得するステップと、
所定の事案に関連するという第１の分類情報と、前記所定の事案に関係しないという第２の分類情報とを含む分類情報を前記複数の訓練データの夫々に付与することによって、当該複数の訓練データの夫々を分類するステップと、
前記複数の訓練データの夫々からデータ要素を抽出するステップと、
前記複数の訓練データの夫々に対して付与された前記分類情報に基づいて、前記抽出されたデータ要素を評価するステップと、
当該データ要素の評価に基づいて前記複数の訓練データの夫々を評価するステップと、
当該複数の訓練データの夫々を評価する際、前記第１の分類情報が付与された訓練データの評価が前記第２の分類情報が付与された訓練データの評価より上位になるように、前記データ要素の評価を繰り返するステップと、
前記記憶装置から複数の未知データを取得するステップと、
前記繰り返しによって決定されたデータ要素の評価に基づいて、前記複数の未知データの夫々を評価するステップと、当該評価は当該複数の未知データの夫々にスコアを付けることを含む、
前記評価された複数の未知データのうちの少なくとも一つに含まれる情報をユーザに提示するステップと、
を実行するデータ分析方法。
【請求項９】
記憶装置に記憶されたデータ群の分析をコンピュータに実現させるプログラムであって、
前記記憶装置から複数の訓練データを取得する機能と、
所定の事案に関連するという第１の分類情報と、前記所定の事案に関係しないという第２の分類情報とを含む分類情報を前記複数の訓練データの夫々に付与することによって、当該複数の訓練データの夫々を分類する機能と、
前記複数の訓練データの夫々からデータ要素を抽出する機能と、
前記複数の訓練データの夫々に対して付与された前記分類情報に基づいて、前記抽出されたデータ要素を評価する機能と、
当該データ要素の評価に基づいて前記複数の訓練データの夫々を評価する機能と、
当該複数の訓練データの夫々を評価する際、前記第１の分類情報が付与された訓練データの評価が前記第２の分類情報が付与された訓練データの評価より上位になるように、前記データ要素の評価を繰り返する機能と、
前記記憶装置から複数の未知データを取得する機能と、
前記繰り返しによって決定されたデータ要素の評価に基づいて、前記複数の未知データの夫々を評価する機能と、当該評価は当該複数の未知データの夫々にスコアを付けることを含む、
前記評価された複数の未知データのうちの少なくとも一つに含まれる情報をユーザに提示する機能と、
をコンピュータに実現させるためのプログラム。
【請求項１０】
請求項９記載のプログラムが記録された、コンピュータ読取可能な記録媒体。
【手続補正３】
【補正対象書類名】明細書
【補正対象項目名】０００６
【補正方法】変更
【補正の内容】
【０００６】
そこで、本発明においては、上記問題に鑑みて、未知のデータを受け付けて、その未知のデータがどのような事案との関連性が高いかを提示するデータ分析システム、データ分析方法、データ分析のためのプログラム、及び、このプログラムの記録媒体を提供することを目的とする。
【手続補正４】
【補正対象書類名】明細書
【補正対象項目名】０００７
【補正方法】変更
【補正の内容】
【０００７】
上記課題を解決するために、本発明に係るデータ分析システムは、記憶装置と、前記記憶装置に記録されたデータを分析するプロセッサと、を備えるデータ分析システムであって、前記プロセッサは、前記記憶装置から複数の訓練データを取得し、所定の事案に関連するという第１の分類情報と、前記所定の事案に関係しないという第２の分類情報とを含む分類情報を前記複数の訓練データの夫々に付与することによって、当該複数の訓練データの夫々を分類し、前記複数の訓練データの夫々からデータ要素を抽出し、前記複数の訓練データの夫々に対して付与された前記分類情報に基づいて、前記抽出されたデータ要素を評価し、当該データ要素の評価に基づいて前記複数の訓練データの夫々を評価し、当該複数の訓練データの夫々を評価する際、前記第１の分類情報が付与された訓練データの評価が前記第２の分類情報が付与された訓練データの評価より上位になるように、前記データ要素の評価を繰り返し、前記記憶装置から複数の未知データを取得し、前記繰り返しによって決定されたデータ要素の評価に基づいて、前記複数の未知データの夫々を評価し、当該評価は当該複数の未知データの夫々にスコアを付けることを含み、前記評価された複数の未知データのうちの少なくとも一つに含まれる情報をユーザに提示する、ように構成されている。本発明は、さらに、データ分析方法、データ分析のためのプログラム、及び、記録媒体に関する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、複数の異なる事案を対象とした学習データ毎に、未知のデータの評価を提示するので、ユーザは、その未知のデータの内容を見ずとも、ある程度どのような事案との関連性が高いかを認識することができる。
【手続補正１２】
【補正対象書類名】明細書
【補正対象項目名】０１２９
【補正方法】変更
【補正の内容】
【０１２９】
あるいは、データ分析システム１００の各機能部により実現される機能は、ＣＰＵ（Central Processing Unit）を用いてソフトウェアによって実現してもよい。この場合、データ分析システム１００は、各機能を実現するソフトウェアであるデータ分析プログラムの命令を実行するＣＰＵ、上記ゲームプログラム及び各種データがコンピュータ（又はＣＰＵ）で読み取り可能に記録されたＲＯＭ（Read Only Memory）又は記憶装置（これらを「記録媒体」と称する）、上記データ分析プログラムを展開するＲＡＭ（Random Access Memory）などを備えている。そして、コンピュータ（又はＣＰＵ）が上記データ分析プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記データ分析プログラムは、当該データ分析プログラムを伝送可能な任意の伝送媒体（通信ネットワークや放送波等）を介して上記コンピュータに供給されてもよい。本発明は、上記データ分析プログラムが電子的な伝送によって具現化された、搬送波に埋め込まれたデータ信号の形態でも実現され得る。
【手続補正１３】
【補正対象書類名】明細書
【補正対象項目名】０１３２
【補正方法】変更
【補正の内容】
【０１３２】
＜補足＞
ここに既述の実施態様とその効果について述べる。
（ａ）データ分析システムは、医薬に関する情報を含む訓練データと当該訓練データを複数の分類基準に基づいて分類する複数の分類情報との組み合わせを取得する訓練データ取得部（１３２、１３３）と、前記訓練データの少なくとも一部を構成するデータ要素が前記分類情報に応じて出現する分布から、前記医薬に関する情報のパターンを学習する学習部（１３４〜１３７）と、所定の情報源から未知データを取得する未知データ取得部（１３１、１３２）と、前記取得された未知データに含まれる医薬に関する情報をユーザに提示可能となるように、当該未知データを前記複数の分類基準ごとに評価するデータ評価部（１３８）と、前記評価された未知データの評価結果に応じて表示させることによって、当該未知データに含まれる医薬に関する情報を前記ユーザに提示する提示部（１３９）とを備える。
【手続補正１４】
【補正対象書類名】明細書
【補正対象項目名】０１３３
【補正方法】変更
【補正の内容】
【０１３３】
また、データ分析方法は、コンピュータが実行するものであって、医薬に関する情報を含む訓練データと当該訓練データを複数の分類基準に基づいて分類する複数の分類情報との組み合わせを取得する訓練データ取得ステップと、前記訓練データの少なくとも一部を構成するデータ要素が前記分類情報に応じて出現する分布から、前記医薬に関する情報のパターンを学習する学習ステップと、所定の情報源から未知データを取得する未知データ取得ステップと、前記取得された未知データに含まれる医薬に関する情報をユーザに提示可能となるように、当該未知データを前記複数の分類基準ごとに評価するデータ評価ステップと、前記評価された未知データの評価結果に応じて表示させることによって、当該未知データに含まれる医薬に関する情報を前記ユーザに提示する提示ステップとを含む。
【手続補正１５】
【補正対象書類名】明細書
【補正対象項目名】０１３４
【補正方法】変更
【補正の内容】
【０１３４】
また、データ分析プログラムは、コンピュータに、薬に関する情報を含む訓練データと当該訓練データを複数の分類基準に基づいて分類する複数の分類情報との組み合わせを取得する訓練データ取得機能と、前記訓練データの少なくとも一部を構成するデータ要素が前記分類情報に応じて出現する分布から、前記医薬に関する情報のパターンを学習する学習機能と、所定の情報源から未知データを取得する未知データ取得機能と、前記取得された未知データに含まれる医薬に関する情報をユーザに提示可能となるように、当該未知データを前記複数の分類基準ごとに評価するデータ評価機能と、前記評価された未知データの評価結果に応じて表示させることによって、当該未知データに含まれる医薬に関する情報を前記ユーザに提示する提示機能とを実現させる。
【手続補正１６】
【補正対象書類名】明細書
【補正対象項目名】０１４２
【補正方法】変更
【補正の内容】
【０１４２】
（ｈ）上記（ａ）から（ｆ）のいずれかに係るデータ分析システムは、前記医薬に関する情報は、薬剤の効能に関する情報であることとしてもよい。
これにより、データ分析システムは、薬剤の効能に関する情報の分析を支援することができる。
既述の実施形態において、未知データ取得部は、医療関係者を所定の情報源とし、当該医療関係者から報告される報告情報を未知データとして取得することとしてもよい。
また、未知データ取得部は、医薬に関する情報を収集するウェブサイトを所定の情報源とし、当該ウェブサイトに含まれる情報を未知データとして取得することとしてもよい。
また、学習部は、訓練データから当該訓練データの少なくとも一部を構成するデータ要素を抽出する抽出部と、抽出されたデータ要素各々の重み付け値を算出する算出部とを含み、抽出されたデータ要素と算出された重み付け値とを対応付けることにより、医薬に関する情報のパターンを学習することとしてもよい。
また、抽出部は、データ要素として、感情表現に係る形態素を抽出し、算出部は、感情表現に係る形態素の重み付け値を算出し、データ評価部は、未知データに含まれる感情表現に係る形態素に基づいて複数の分類基準ごとに当該未知データを評価することとしてもよい。
また、データ分析システムは、さらに、所定の医薬に関する情報である関連情報を予め記憶する記憶部を備え、提示部は、さらに、取得された未知データと関連すると推定される関連情報を、医薬に関する情報とともに提示することとしてもよい。
また、医薬に関する情報は、薬剤の副作用に関する情報であることとしてもよい。
また、医薬に関する情報は、医薬に関する所定の観点についての医療関係者の意見に関する情報であることとしてもよい。
また、医薬に関する情報は、薬剤の効能に関する情報であることとしてもよい。
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
医薬に関するデータを記憶する記憶装置と、
前記データを分析するプロセッサと、
を備えるデータ分析システムであって、
前記プロセッサは、
前記データから複数の訓練データを取得し、
医薬の副作用に関連することを示す高関連分類情報と、医薬の副作用に関係しないことを示す低関連分類情報とを含む分類情報を、前記複数の訓練データの夫々に付与することによって、当該複数の訓練データの夫々を分類する第1の分類を行い、
医薬の効果が重篤であることを示す高関連分類情報と、医薬の効果が重篤でないことを示す低関連分類情報とを含む分類情報を、前記複数の訓練データの夫々に付与することによって、当該複数の訓練データの夫々を分類する第２の分類を行い、
医薬の効果が特定の薬剤に関連することを示す高関連分類情報と、医薬の効果が特定の薬剤に関連しないことを示す低関連分類情報とを含む分類情報を、前記複数の訓練データの夫々に付与することによって、当該複数の訓練データの夫々を分類する第３の分類を行い、
前記第１の分類、第２の分類、及び、第３の分類の夫々において、前記高関連分類情報又は低関連分類情報が付与された複数の訓練データの夫々からデータ要素を抽出し、
前記複数の訓練データの夫々に対して付与された、前記高関連分類情報、又は、低関連分類情報に基づいて、前記抽出されたデータ要素を評価し、
当該データ要素の評価に基づいて前記複数の訓練データの夫々を評価し、
前記第１の分類、第２の分類、及び、第３の分類の夫々において、前記複数の訓練データの夫々を評価する際、前記第１の分類情報が付与された訓練データの評価が前記第２の分類情報が付与された訓練データの評価より上位になるように、前記データ要素の評価を繰り返し、
前記データから複数の未知データを取得し、
前記繰り返しによって決定されたデータ要素の評価に基づいて、前記複数の未知データの夫々を評価し、当該評価は、当該複数の未知データの夫々に、前記第１の分類、第２の分類、及び、第３の分類の夫々のスコアを合計するようにして、スコアを付けることを含み、
前記評価された複数の未知データのうちの少なくとも一つに含まれる情報をユーザに提示する、
データ分析システム。
【請求項２】
前記プロセッサは、
医療関係者から報告される報告情報を、前記未知データとして前記記憶装置から取得する
請求項１に記載のデータ分析システム。
【請求項３】
前記記憶装置は、医薬に関する情報を収集するデータベースを含み、
前記プロセッサは、当該データベースに含まれる情報を前記未知データとして取得する
請求項１に記載のデータ分析システム。
【請求項４】
前記プロセッサは、
前記データ要素として、感情表現に係る形態素を抽出し、
前記感情表現に係る形態素の重み付け値を算出し、
前記未知データに含まれる感情表現に係る形態素に基づいて当該未知データを評価する
請求項１から３のいずれか一項に記載のデータ分析システム。
【請求項５】
医薬に関するデータを記憶する記憶装置のデータ群をプロセッサが分析するデータ分析方法であって、
前記プロセッサは、
前記データ群から複数の訓練データを取得するステップと、
医薬の副作用に関連することを示す高関連分類情報と、医薬の副作用に関係しないことを示す低関連分類情報とを含む分類情報を、前記複数の訓練データの夫々に付与することによって、当該複数の訓練データの夫々を分類する第1の分類を行うステップと、
医薬の効果が重篤であることを示す高関連分類情報と、医薬の効果が重篤でないことを示す低関連分類情報とを含む分類情報を、前記複数の訓練データの夫々に付与することによって、当該複数の訓練データの夫々を分類する第２の分類を行うステップと、
医薬の効果が特定の薬剤に関連することを示す高関連分類情報と、医薬の効果が特定の薬剤に関連しないことを示す低関連分類情報とを含む分類情報を、前記複数の訓練データの夫々に付与することによって、当該複数の訓練データの夫々を分類する第３の分類を行うステップと、
前記第１の分類、第２の分類、及び、第３の分類の夫々において、前記高関連分類情報又は低関連分類情報が付与された複数の訓練データの夫々からデータ要素を抽出するステップと、
前記複数の訓練データの夫々に対して付与された、前記高関連分類情報、又は、低関連分類情報に基づいて、前記抽出されたデータ要素を評価するステップと、
当該データ要素の評価に基づいて前記複数の訓練データの夫々を評価するステップと、
前記第１の分類、第２の分類、及び、第３の分類の夫々において、前記複数の訓練データの夫々を評価する際、前記第１の分類情報が付与された訓練データの評価が前記第２の分類情報が付与された訓練データの評価より上位になるように、前記データ要素の評価を繰り返すステップと、
前記データ群から複数の未知データを取得するステップと、
前記繰り返しによって決定されたデータ要素の評価に基づいて、前記複数の未知データの夫々を評価するステップと、当該評価は、当該複数の未知データの夫々に、前記第１の分類、第２の分類、及び、第３の分類の夫々のスコアを合計するようにして、スコアを付けることを含み、
前記評価された複数の未知データのうちの少なくとも一つに含まれる情報をユーザに提示するステップと、
を実行するデータ分析方法。
【請求項６】
医薬に関するデータを記憶する記憶装置のデータ群の分析をコンピュータに実現させるプログラムであって、
前記データ群から複数の訓練データを取得する機能と、
医薬の副作用に関連することを示す高関連分類情報と、医薬の副作用に関係しないことを示す低関連分類情報とを含む分類情報を、前記複数の訓練データの夫々に付与することによって、当該複数の訓練データの夫々を分類する第1の分類を行う機能と、
医薬の効果が重篤であることを示す高関連分類情報と、医薬の効果が重篤でないことを示す低関連分類情報とを含む分類情報を、前記複数の訓練データの夫々に付与することによって、当該複数の訓練データの夫々を分類する第２の分類を行う機能と、
医薬の効果が特定の薬剤に関連することを示す高関連分類情報と、医薬の効果が特定の薬剤に関連しないことを示す低関連分類情報とを含む分類情報を、前記複数の訓練データの夫々に付与することによって、当該複数の訓練データの夫々を分類する第３の分類を行う機能と、
前記第１の分類、第２の分類、及び、第３の分類の夫々において、前記高関連分類情報又は低関連分類情報が付与された複数の訓練データの夫々からデータ要素を抽出する機能と、
前記複数の訓練データの夫々に対して付与された、前記高関連分類情報、又は、低関連分類情報に基づいて、前記抽出されたデータ要素を評価する機能と、
当該データ要素の評価に基づいて前記複数の訓練データの夫々を評価する機能と、
前記第１の分類、第２の分類、及び、第３の分類の夫々において、前記複数の訓練データの夫々を評価する際、前記第１の分類情報が付与された訓練データの評価が前記第２の分類情報が付与された訓練データの評価より上位になるように、前記データ要素の評価を繰り返す機能と、
前記データ群から複数の未知データを取得する機能と、
前記繰り返しによって決定されたデータ要素の評価に基づいて、前記複数の未知データの夫々を評価する機能と、当該評価は、当該複数の未知データの夫々に、前記第１の分類、第２の分類、及び、第３の分類の夫々のスコアを合計するようにして、スコアを付けることを含み、
前記評価された複数の未知データのうちの少なくとも一つに含まれる情報をユーザに提示する機能と、
をコンピュータに実現させるためのプログラム。
【請求項７】
請求項６記載のプログラムが記録された、コンピュータ読取可能な記録媒体。
【国際調査報告】
2016147276.tif 000017
2016147276.tif 000018
2016147276.tif 000019
2016147276.tif 000020